(57)【要約】【課題】容易に取り付け可能であって、容易に外れることのない機器の転倒防止装置を提供することである。【解決手段】機器の転倒防止装置１であって、棒状部２と吸盤１０とを有し、吸盤１０の表面には粘着性樹脂１１を有し、吸盤１０は、機器表面８０と吸盤１０との間を減圧可能な吸着部３を有し、粘着性樹脂１１は、機器表面８０の凹凸部に入り込むことが可能であり、棒状部２の少なくとも一方の端部には吸盤１０が位置している。また、棒状部２の他方の端部にも吸盤１０が位置している。【選択図】図６
2011228836.tif 000002
【特許請求の範囲】
【請求項１】
機器の転倒防止装置であって、
棒状部と吸盤とを有し、
吸盤の表面には粘着性物質を有し、
吸盤は、機器表面と吸盤との間を減圧可能な減圧手段を有し、
粘着性物質は、機器表面の凹凸部に入り込むことが可能であり、
棒状部の少なくとも一方の端部には吸盤が位置していることを特徴とする機器の転倒防止装置。
【請求項２】
棒状部の他方の端部にも吸盤が位置していることを特徴とする請求項１に記載の機器の転倒防止装置。
【請求項３】
棒状部は伸縮可能なことを特徴とする請求項１又は２に記載の機器の転倒防止装置。
【請求項４】
硝子と略同一の平坦度を有した機器表面であって、
機器表面に対して直交する方向において、
吸盤は、少なくとも２８４ニュートン以上の吸着力を有することを特徴とする請求項１乃至３のいずれかに記載の機器の転倒防止装置。
【請求項５】
硝子と略同一の平坦度を有した機器表面であって、
機器表面に対して平行となる方向において、
吸盤は、少なくとも１６６ニュートン以上の吸着力を有することを特徴とする請求項１乃至４のいずれかに記載の機器の転倒防止装置。
【発明の詳細な説明】
【技術分野】
【０００１】
本発明は機器の転倒防止装置に関し、さらに詳細には、容易に取り付け可能であって、容易に外れることのない機器の転倒防止装置に関する。
【背景技術】
【０００２】
病院や医療機関において、高額な医療機器や分析機器が利用されている。また、多くの家庭において、大型の薄型テレビが利用されている。いずれの機器も、地震等による振動に弱く、転倒による機器の故障や、利用者の怪我といった不測の事態に至ることが懸念される。特許文献１には、平面テレビの転倒防止器具が開示されている。
【先行技術文献】
【特許文献】
【０００３】
【特許文献１】特開２００６−３０４２３９号公報
【発明の概要】
【発明が解決しようとする課題】
【０００４】
特許文献１に開示された平面テレビの転倒防止器具は、帯状のベルトの両端部に、樹脂製のＴ型部材を有し、Ｔ型部材の表面には粘着性テープを有するものである。粘着性テープを有するＴ型部材は、平面テレビや壁、テレビ台等に穴を開ける必要がなく、容易に取り付け可能である。
【０００５】
ところが、特許文献１に開示された平面テレビの転倒防止器具では、薄型テレビ等の支持に粘着性テープを用いていることにより、貼り付け位置の変更等によって、貼付と取り外しを数回繰り返すだけで、粘着性が低下するという欠点がある。また、粘着性テープは、ネジ等の締結手段に比べて、吸着力が極端に弱く、容易に外れる恐れがあり、転倒防止器具としての役割を果たせないことが懸念される。
【０００６】
上記した現状に鑑み、本発明は、容易に取り付け可能であって、容易に外れることのない機器の転倒防止装置の提供を目的とする。
【課題を解決するための手段】
【０００７】
上記課題を解決するための請求項１に記載の発明は、機器の転倒防止装置であって、棒状部と吸盤とを有し、吸盤の表面には粘着性物質を有し、吸盤は、機器表面と吸盤との間を減圧可能な減圧手段を有し、粘着性物質は、機器表面の凹凸部に入り込むことが可能であり、棒状部の少なくとも一方の端部には吸盤が位置していることを特徴とする機器の転倒防止装置である。
【０００８】
機器表面の凹凸部に入り込むことが可能な粘着性物質は、凹凸部を埋めることができる。すなわち、凹凸部を有する機器表面と吸盤とは密着可能である。
また、機器表面と吸盤との間を減圧可能な減圧手段を有した吸盤は、吸着力に優れている。すなわち、吸着力に優れた吸盤は、容易に外すことができない。
さらに、吸盤は、棒状部の一方の端部に設けられていることから、棒状部で強固に支持される。なお、この時、棒状部の他方の端部は、壁や台等に固定されているものとする。
本発明の機器の転倒防止装置によれば、容易に取り付け可能であって、容易に外れることがない。
【０００９】
請求項２に記載の発明は、棒状部の他方の端部にも吸盤が位置していることを特徴とする請求項１に記載の機器の転倒防止装置である。
【００１０】
前記の吸盤を、棒状部の他方の端部にも設けることにより、凹凸部を有する壁や台等へも、吸着させることが可能である。すなわち、工具類を用いての固定が不要となる。本発明の機器の転倒防止装置によれば、より容易に取り付け可能である。
【００１１】
請求項３に記載の発明は、棒状部は伸縮可能なことを特徴とする請求項１又は２に記載の機器の転倒防止装置である。
【００１２】
棒状部は伸縮可能なものであり、機器の大きさや形状に応じて、吸盤の位置を変更可能である。本発明の機器の転倒防止装置は、汎用性に優れている。
【００１３】
請求項４に記載の発明は、硝子と略同一の平坦度を有した機器表面であって、機器表面に対して直交する方向において、吸盤は、少なくとも２８４ニュートン以上の吸着力を有することを特徴とする請求項１乃至３のいずれかに記載の機器の転倒防止装置である。
【００１４】
２８４ニュートン以上の吸着力とは、約２９キログラム以上の引張強度のことを指している。すなわち、硝子と略同一の平坦度を有した機器表面であって、機器表面に対して直交する方向において、振動等によって約２９キログラムの力が加わった場合にでも、１つの吸盤で保持することができる。
本発明の機器の転倒防止装置によれば、大型の機器の転倒を防止できる。
【００１５】
請求項５に記載の発明は、硝子と略同一の平坦度を有した機器表面であって、機器表面に対して平行となる方向において、吸盤は、少なくとも１６６ニュートン以上の吸着力を有することを特徴とする請求項１乃至４のいずれかに記載の機器の転倒防止装置である。
【００１６】
１６６ニュートン以上の吸着力とは、約１７キログラム以上の引張強度のことを指している。すなわち、硝子と略同一の平坦度を有した機器表面であって、機器表面に対して平行となる方向において、振動等によって約１７キログラムの力が加わった場合にでも、１つの吸盤で保持することができる。
本発明の機器の転倒防止装置によれば、大型の機器の転倒を防止できる。
【発明の効果】
【００１７】
本発明の機器の転倒防止装置によれば、容易に取り付け可能であって、容易に外れることがない。
【図面の簡単な説明】
【００１８】
【図１】本発明の実施形態に係る機器の転倒防止装置を示す斜視図である。
【図２】棒状部を示す断面図である。
【図３】機器の転倒防止装置の吸着部を示す図であり、（ａ）は正面図、（ｂ）は斜視図である。
【図４】吸着部を示す分解斜視図である。
【図５】凹凸部を有する機器表面と吸着部を示す断面図および一部拡大断面図である。
【図６】吸着部の断面図であり、（ａ）は略平坦状態、（ｂ）吸着状態を示す。
【図７】本発明の実施形態に係る機器の転倒防止装置を用いた実施例であり、薄型テレビに取り付けた状態を示す斜視図である。
【図８】本発明の実施形態に係る機器の転倒防止装置を用いた実施例であり、医療機器に取り付けた状態を示す斜視図である。
【発明を実施するための形態】
【００１９】
以下は、本発明の機器の転倒防止装置の実施形態について、図面を参照しながら詳細に説明する。なお、以下の説明は、実施形態の理解を容易にするためのものであり、これによって、本発明が制限して理解されるべきではない。なお、公知のものについては説明を省略する。
【００２０】
図６において、吸着部３の減圧棒１２の軸方向を「鉛直方向」とし、鉛直方向に直交する方向を「左右方向」とする。
【００２１】
図１に示すように、転倒防止装置１（機器の転倒防止装置）は、棒状部２と、吸着部３（減圧手段）とを有している。吸着部３は、棒状部２の両端部に設けられている。
棒状部２は、棒状を成しており、棒状管５，６を有している。
図２に示すように、棒状管５，６は管状であり、棒状管６の内部に棒状管５が挿入されている。すなわち、棒状部２は、棒状管５，６の長さを調整することにより、伸縮可能である。
棒状管６の端部は、肉厚形状を成しており、孔２４を有している。棒状管５，６の接続部分には、摘み７が位置している。摘み７は、ねじ部８を有している。ねじ部８は、棒状管６の孔２４に挿入されており、棒状管５に当接している。すなわち、摘み７は、棒状管５と棒状管６との位置決めが可能である。
【００２２】
図３（ａ），（ｂ）に示すように、吸着部３は公知のそれと同様に、お椀形状を成した吸盤装置である。
図４に示すように、吸着部３は、ピン９と、吸盤１０と、減圧棒１２と、減圧盤１３と、バネ１４と、筺体１５と、ピン１６と、レバー部１７とを有している。
【００２３】
吸盤１０は、吸着部３の主要部品である。吸盤１０は、中心孔１０ａを有している。吸盤１０は、粘着性樹脂１１で構成されている。粘着性樹脂１１は、ゲル状の樹脂であり、粘着性と、保形性とを有している。粘着性樹脂１１は、粘々した触感を有し、且つもちもちした触感を有している。
図５に示すように、粘着性樹脂１１は、凹部８１と凸部８２を有する機器表面８０の、凹部８１と凸部８２に入り込むことが可能である。換言すれば、機器表面８０の凹部８１と凸部８２の形状を、粘着性樹脂１１の表面に、エンボス加工のように型押しできると考えてもよい。例えば、粘着性樹脂１１に消しゴムの削り粉等が付着した場合、削り粉は粘着性樹脂１１内に埋没してしまう。
【００２４】
減圧棒１２は、減圧盤１３を引張可能な棒状部材である。減圧棒１２は、孔１２ａと、フランジ部１２ｂを有している。
減圧盤１３は、変形可能な円盤部材である。減圧盤１３は、中心孔１３ａを有している。減圧盤１３は、シリコン樹脂等で構成されることが好ましい。
筺体１５は、お椀形状を成しており、筺体１５内部には空間を有している。筺体１５は、中心孔１５ａと、突出部１８を有している。突出部１８は、筺体１５と一体化されており、筺体１５の外側の中心孔１５ａを外れた位置にある。突出部１８の上部には、連結部１９が設けられている。連結部１９は、棒状管５又は棒状管６と連結するための連結孔１９ａを有している。
レバー部１７は、減圧棒１２を引張可能な摘み部材である。レバー部１７は、正面視で略三角状を成し、カム機構を有している。レバー部１７は、孔１７ａと、レバー本体１７ｂを有している。
【００２５】
ここで、吸着部３の各部材の位置関係について説明する。
吸盤１０の中心孔１０ａには、ピン９が連通されている。ピン９は、吸盤１０を挟んで減圧棒１２のフランジ部１２ｂに係止している。
減圧棒１２は、減圧盤１３の中心孔１３ａと、バネ１４と、筺体１５の中心孔１５ａとを貫通している。減圧棒１２の孔１２ａと、レバー部１７の孔１７ａとは、同心円状となるように位置しており、孔１２ａと孔１７ａにピン１６が連通されている。
すなわち、吸盤１０は、ピン９によって、減圧棒１２のフランジ部１２ｂに連結されている。減圧盤１３とバネ１４とは、減圧棒１２によって、筺体１５に連結されている。換言すれば、吸盤１０は、減圧棒１２のフランジ部１２ｂに密着している。フランジ部１２ｂは、減圧盤１３に密着している。減圧盤１３には、バネ１４が当接している。
一方、筺体１５の中心孔１５ａから、減圧棒１２の孔１２ａ側の端部が、筺体１５の外側に突出している。減圧棒１２の孔１２ａ側の端部には、レバー部１７が挿入されている。減圧棒１２とレバー部１７の両者は、ピン１６によって接続されている。
なお、図４（ａ），（ｂ）に示すように、筺体１５において、連結部１９には、棒状管５又は棒状管６が挿入されている。連結孔１９ａと、図示しない棒状管５又は棒状管６の孔とは、ピン２２で連通されている。すなわち、棒状管５又は棒状管６は、連結部１９で回動可能に支持されている。換言すれば、吸着部３は、棒状管５又は棒状管６に対して、角度の調整が可能である。
【００２６】
つぎに、吸着部３の動作について説明する。
図６（ａ）に示すように、吸着部３のレバー本体１７ｂが、鉛直方向にある場合は、吸着部３は略平坦状態にある。吸盤１０と減圧盤１３とは、変形していない。この時、ピン１６（孔１７ａ）は、筺体１５の上部に近接している。
図６（ｂ）に示すように、吸着部３のレバー本体１７ｂが、水平方向にある場合は、吸着部３は吸着状態にある。この時、減圧棒１２は、レバー本体１７ｂに引張上げられている。これは、レバー本体１７ｂがカム機構を有しているため、ピン１６（孔１７ａ）の位置が鉛直方向に上昇しているからである。吸盤１０と減圧盤１３とは、山状となるように、変形している。この時、機器表面８０と吸盤１０との間に生じた空間２０は、減圧された状態にある。すなわち、減圧された空間２０は、機器表面８０を吸着する吸着力を有している。つまり、吸着部３（減圧手段）は、機器表面８０と吸盤１０との間を減圧できる。例えば、機器表面８０が硝子と略同一の平坦度を有する場合、機器表面８０に対して直交する方向において、減圧された空間２０（吸盤１０）は、少なくとも２８４ニュートン（約２９キログラム）以上の吸着力を有することが好ましい。同じく、機器表面８０に対して平行となる方向において、減圧された空間２０（吸盤１０）は、少なくとも１６６ニュートン（約１７キログラム）以上の吸着力を有することが好ましい。
【００２７】
つぎに、転倒防止装置１を用いた実施例を図７，８に示す。
図７は、薄型テレビ３０の背面と、テレビ台３１の背面とを、転倒防止装置１で接続した状態を示している。例えば、薄型テレビ３０として、画面サイズを５２インチ、重量を約３４キログラムの一般的な液晶テレビとした場合、２つの転倒防止装置１で転倒を防止できる。なお、テレビ台３１の背面に転倒防止装置１を接続する例を示したが、テレビ台３１の天面に接続しても構わない。
図８は、医療用機器４０の背面と、図示しない壁面４１とを、転倒防止装置１で接続した状態を示している。例えば、医療用機器４０として、重量を１５キログラムの人工呼吸器とした場合、１つの転倒防止装置１で転倒を防止できる。
【００２８】
前述のように、本実施形態の転倒防止装置１は、吸盤１０が粘着性樹脂１１（粘着性物質）で構成されている。機器表面８０の凹部８１と凸部８２に入り込むことが可能な粘着性樹脂１１は、凹部８１と凸部８２を埋めることができる。すなわち、凹部８１と凸部８２を有する機器表面８０と吸盤１０とは密着可能である。
また、機器表面８０と吸盤１０との間を減圧可能な吸着部３（減圧手段）は、吸着力に優れている。すなわち、吸着力に優れた吸着部３は、容易に外すことができない。
【００２９】
本実施形態の転倒防止装置１は、棒状部２の両端部に吸盤１０を有している。このことにより、一方の端部を機器に吸着させ、他方の端部を、凹凸部を有する壁や台等へも、吸着させることが可能である。すなわち、工具類を用いての固定が不要となる。
また、棒状部２は伸縮可能なものである。さらに、吸着部３は、棒状管５又は棒状管６に対して、角度の調整が可能である。すなわち、機器の大きさや形状に応じて、吸盤１０の位置と角度とを調整可能である。
【００３０】
本実施形態の転倒防止装置１は、機器表面８０が硝子と略同一の平坦度を有する場合、機器表面８０に対して直交する方向において、減圧された空間２０（吸盤１０）は、少なくとも２８４ニュートン（約２９キログラム）以上の吸着力を有するものである。すなわち、機器表面８０に対して直交する方向において、振動等によって約２９キログラムの力が加わった場合にでも、１つの吸盤１０で保持することができる。
同じく、機器表面８０に対して平行となる方向において、減圧された空間２０（吸盤１０）は、少なくとも１６６ニュートン（約１７キログラム）以上の吸着力を有するものである。すなわち、機器表面８０に対して平行となる方向において、振動等によって約１７キログラムの力が加わった場合にでも、１つの吸盤１０で保持することができる。
【００３１】
以上のように、本実施形態の転倒防止装置１によれば、容易に取り付け可能であって、容易に外れることがない。
【００３２】
上記した実施形態では、転倒防止装置１を用いた実施例として、薄型テレビ３０と医療用機器４０へ設置する例を示したが、本発明はこれに限定されるものではない。例えば、石油ストーブやファンヒータ等の機器に設置しても構わない。ただし、前記機器への設置に際しては、機器の筺体の内、高温になる部位への設置は避ける必要がある。
【符号の説明】
【００３３】
１    転倒防止装置（機器の転倒防止装置）
２    棒状部
３    吸着部（減圧手段）
１０    吸盤
１１    粘着性樹脂（粘着性物質）
８０    機器表面
８１    凹部
８２    凸部
【図１】
2011228836.tif 000003
【図２】
2011228836.tif 000004
【図３】
2011228836.tif 000005
【図４】
2011228836.tif 000006
【図５】
2011228836.tif 000007
【図６】
2011228836.tif 000008
【図７】
2011228836.tif 000009
【図８】
2011228836.tif 000010